(57)【特許請求の範囲】
【請求項１】
住宅等の敷地境界内に不法侵入した侵入者を識別するための侵入者識別装置であって、
前記敷地境界内における任意の位置の地中に配設される装置本体と、
一端側が開口された中空の柱状をなし、当該一端側から前記装置本体に対して略鉛直方向に摺動可能に係合される蓋部と、
前記装置本体と前記蓋部との間に介在され、射出物としての着色剤が封入された風船からなる射出物封入部材と、を備え、
前記蓋部は、他端側に前記装置本体と対向して配置される上面部を有し、当該上面部の表面が地表と面一となるように配置され、
前記上面部には、複数の貫通孔が穿設されており、
前記貫通孔における前記上面部の裏面側には、前記蓋部の一端側に向かって突出した突起部が設けられており、
前記侵入者によって踏み付けられることで前記上面部に荷重が加えられると、前記風船が押圧されて前記突起部によって強制的に破裂させられることにより、前記封入された射出物が前記貫通孔から噴射される
ことを特徴とする侵入者識別装置。
【請求項２】
住宅等の敷地境界内に不法侵入した侵入者を識別するための侵入者識別装置であって、
前記敷地境界内における任意の位置の地中に配設される装置本体と、
一端側が開口された中空の柱状をなし、当該一端側から前記装置本体に対して略鉛直方向に摺動可能に係合される蓋部と、
前記装置本体と前記蓋部との間に介在され、射出物が封入された射出物封入部材と、を備え、
前記蓋部は、他端側に前記装置本体と対向して配置される上面部を有し、当該上面部の表面が地表と面一となるように配置され、
前記上面部には、複数の貫通孔が穿設されており、
前記射出物封入部材は、前記射出物としての着色剤を封入したスプレーからなり、
前記侵入者によって踏み付けられることで前記上面部に荷重が加えられることによって、前記スプレーが押圧されることにより、前記着色材が前記貫通孔から噴射される
ことを特徴とする侵入者識別装置。
【請求項３】
住宅等の敷地境界内に不法侵入した侵入者を識別するための侵入者識別装置であって、
前記敷地境界内における任意の位置の地中に配設される装置本体と、
一端側が開口された中空の柱状をなし、当該一端側から前記装置本体に対して略鉛直方向に摺動可能に係合される蓋部と、
前記装置本体と前記蓋部との間に介在され、射出物が封入された射出物封入部材と、を備え、
前記蓋部は、他端側に前記装置本体と対向して配置される上面部を有し、当該上面部の表面が地表と面一となるように配置され、
前記上面部には、複数の貫通孔が穿設されており、
前記射出物封入部材は、前記射出物としての着色剤を封入したガス充填ボンベからなり、
前記侵入者によって踏み付けられることで前記上面部に荷重が加えられることによって当該ガス充填ボンベからガスと共に前記着色剤が噴出されることにより、前記着色材が前記貫通孔から噴射される
ことを特徴とする侵入者識別装置。
【発明の詳細な説明】
【技術分野】
【０００１】
本発明は、敷地境界内へ不法侵入した侵入者に対して塗料等の射出物を付着させるための侵入者識別装置に関する。
【背景技術】
【０００２】
従来、住宅や公共施設等の敷地境界内に不法侵入する侵入者に対しては、防犯カメラやアラーム付きセンサ等のセキュリティーシステムを設置することによって対策がなされていた。しかし、例えば侵入者が施設の従業員に変装する等して、外観上、正規の従業員と見分けがつかない（すなわち、その施設の従業員と侵入者との外観が似ている）場合、それらの判別が困難であり、追跡も難航する問題が生じることがあった。
【０００３】
かかる問題の解決手段の一例として、例えば、特許文献１に記載された侵入者識別インク噴射装置が知られている。この侵入者識別インク噴射装置は、マットスイッチ、超音波スイッチ、赤外線光電スイッチによって銀行等に対する不法侵入者や犯罪者を検知すると、当該不法侵入者や犯罪者に向けて、紫外線照射のみによって発光する識別インクを噴射（発射）するようになっている。
【０００４】
また、特許文献２に記載されるように、電源スイッチを入れることでセンサが稼働し、人の接近を感知した場合、臭いと塗料を仕込んだ花火弾を発射すると共に空中で破裂させ、強盗や侵入者に付着させることで識別・追跡・逮捕が容易になるという強盗目印花火弾が知られている。
【０００５】
さらに、特許文献３に記載されるように、防犯や有害な野生動物の駆除等の目的に有効な物質の入った射出物を瞬時に射出するためのガスボンベ内蔵型カ−トリッジであって、ガス充填ボンベ内に充填されたガスの圧力により、特殊塗料等を噴出して対象物に付着させることが可能なものが知られている。
【先行技術文献】
【特許文献】
【０００６】
【特許文献１】特願平６−５００３９７号公報
【特許文献２】特開２００３−２５６９４１号公報
【特許文献３】実用新案登録第３１２１２７７号公報
【発明の概要】
【発明が解決しようとする課題】
【０００７】
しかしながら、特許文献１，２の技術では、電源が確保できる場所（範囲）でしか使用することができず、例えば、敷地内が広大であって、一般的な出入口以外の場所では電源が確保できないような場合、当該出入口以外の場所からの侵入に対して検知することができない問題や、設備投資が高額となる問題があった。加えて、特許文献２の技術では、花火弾を用いているため、耐環境性に関する問題があった。さらに、特許文献３の技術では、特殊塗料等の射出物を射出するための人員または動作制御用の装置が別途必要であり、当該人員（操作者）の配置や動作制御用の装置を設置しなければ使用できない問題があった。
【０００８】
本発明は、上述した事情に鑑みてなされたもので、供給電源や操作者（人員）、動作制御用の装置を不要とすることで設置場所を適宜設定可能としつつ、不法な侵入者を的確に識別できると共に、その追跡の容易化を図ることが可能な侵入者識別装置を提供することを目的とする。
【課題を解決するための手段】
【０００９】
上記目的を達成するため、本発明に係る侵入者識別装置は、
住宅等の敷地境界内に不法侵入した侵入者を識別するための侵入者識別装置であって、
前記敷地境界内における任意の位置の地中に配設される装置本体と、
一端側が開口された中空の柱状をなし、当該一端側から前記装置本体に対して略鉛直方向に摺動可能に係合される蓋部と、
前記装置本体と前記蓋部との間に介在され、射出物としての着色剤が封入された風船からなる射出物封入部材と、を備え、
前記蓋部は、他端側に前記装置本体と対向して配置される上面部を有し、当該上面部の表面が地表と面一となるように配置され、
前記上面部には、複数の貫通孔が穿設されており、
前記貫通孔における前記上面部の裏面側には、前記蓋部の一端側に向かって突出した突起部が設けられており、
前記侵入者によって踏み付けられることで前記上面部に荷重が加えられると、前記風船が押圧されて前記突起部によって強制的に破裂させられることにより、前記封入された射出物が前記貫通孔から噴射される
ことを特徴とする。
【００１０】
本発明によれば、侵入者識別装置が敷地境界内における任意の位置の地中に配設され、侵入者によって踏み付けられることで、表面が地表と面一となるように配置される蓋部の上面部に荷重が加えられると、装置本体と蓋部との間に介在される射出物封入部材が押圧される。これにより、封入された射出物が上面部の貫通孔から噴射され、侵入者に対し当該射出物を噴き付けることができる。従って、電力によって駆動する電動式ではなく、侵入者自らの踏み付ける力を用いて動作させることができるため、供給電源や操作者（人員）、動作制御用の装置を不要とし、設置場所を適宜設定可能としつつ、不法な侵入者を的確に識別できると共に、その追跡の容易化を図ることができる。また、装置本体と蓋部と射出物封入部材とを有した簡易な構成で実現できるため、設置も容易であり、コストパフォーマンス面でも優れている。
【００１１】
また、前記射出物封入部材は、前記射出物としての着色剤を封入した風船からなり、前記荷重が加えられることで当該風船が破裂し、前記封入された射出物が前記貫通孔から噴射される。
【００１２】
これによれば、射出物である着色剤を封入した射出物封入部材を風船によって構成するため、侵入者の踏み付けによる荷重によって、当該風船を容易に破裂させることができる上、装置内部の風船を交換するだけで、簡単に再利用することが可能となる。よって、コストパフォーマンスに優れている。
【００１３】
また、前記貫通孔における前記上面部の裏面側には、前記蓋部の一端側に向かって突出した突起部が設けられており、前記侵入者によって踏み付けられることで前記上面部に荷重が加えられると、前記突起部によって、前記射出物封入部材が強制的に破裂させられる。
【００１４】
これによれば、貫通孔における上面部の裏面側に、突起部（例えば、鋭利な形状からなる刃や針など）が設けられることで、前記風船を破裂させるための破壊力を格段に向上させることができる。よって、例えば、侵入者が踏み付ける過程で本装置に気付いたとしても、僅かな荷重が掛かっただけで簡単に風船を破裂させることが可能となるため、ひとたび踏み付けた侵入者に対し、確実に着色剤を噴き付けることができる。
【００１５】
また、本発明において、前記射出物封入部材は、前記射出物としての着色剤を封入したスプレーからなり、前記荷重が加えられることで当該スプレーが押圧されることにより、前記着色剤が前記貫通孔から噴射されることとしてもよい。
さらに、前記射出物封入部材は、前記射出物としての着色剤を封入したガス充填ボンベからなり、前記荷重が加えられることで当該ガス充填ボンベからガスと共に前記着色剤が噴出されることにより、当該着色剤が前記貫通孔から噴射されることとしてもよい。
【００１６】
これによれば、射出物である着色剤を封入した射出物封入部材をスプレーまたはガス充填ボンベによって構成するため、侵入者の踏み付けによる荷重によって、当該スプレーまたはガス充填ボンベを容易に押圧することができる上、装置内部のスプレーまたはガス充填ボンベを交換するだけで、簡単に再利用することが可能となる。よって、コストパフォーマンスに優れている。
【００１７】
その他、本願が開示する課題、およびその解決方法は、発明を実施するための形態の欄、および図面により明らかにされる。
【発明の効果】
【００１８】
本発明によれば、供給電源や操作者（人員）、動作制御用の装置を不要とすることで設置場所を適宜設定可能としつつ、不法な侵入者を的確に識別できると共に、その追跡の容易化を図ることができる。
【図面の簡単な説明】
【００１９】
【図１】本発明による侵入者識別装置の一実施形態の構成を概略的に示す断面斜視図である。
【図２】図１の要部である貫通孔を拡大して示す断面図である。
【図３】本発明による侵入者識別装置の他の実施形態の構成を部分的に透視して示す斜視図である。
【図４】本発明による侵入者識別装置の使用例を他の実施形態を用いて概略的に示す斜視図である。
【図５】本発明による侵入者識別装置の他の実施形態の構成を部分的に透視して示す斜視図である。
【発明を実施するための形態】
【００２０】
以下、本発明の一実施形態に係る侵入者識別装置について図面を参照しながら説明する。なお、本発明は、請求の範囲および明細書全体から読み取ることのできる発明の要旨または思想に反しない範囲で適宜変更可能であり、そのような変更を伴う侵入者識別装置もまた本発明の技術思想に含まれる。
【００２１】
本発明による侵入者識別装置は、侵入者を識別するためのセキュリティーシステムの一つとして機能するものであり、住宅や公共施設（例えば、公園・学校・保育所・図書館・病院），銀行，郵便局，役所，ショッピングモール，宿泊施設等における比較的広い敷地内において、監視機能が低下する（手薄になり易い）敷地内森林や植え込み等のルートを通過して、当該敷地境界内に不法侵入する場合を想定し、その侵入者を対象とする。また、この侵入者識別装置は、住宅の住民や、公共施設等の職員・従業員が頻繁に訪れることなく、通常利用しないことから、前述のように想定したルートにおける地面に設置する。この侵入者識別装置は、装置本体と、それに摺動可能に係合される蓋部と、これら装置本体および蓋部の間に介在される射出物封入部材とを備えて構成されている。蓋部には貫通孔が穿設されており、射出物封入部材には着色剤等の射出物が封入されている。そして、蓋部の上面が地面の地表と面一となるように設置し、前述のルートを利用して不法侵入する侵入者が本装置に気付かずに踏み付けることを想定している。従って、当該侵入者が本装置を踏み付けて荷重が加わると、装置内部の射出物封入部材が押圧され、封入された射出物が貫通孔から噴射されることにより、侵入者に吹き付けられるようになっている。よって、侵入者は、たとえ住民や職員・従業員に変装（扮装）していたとしても、足元を中心に着色剤が吹き付けられるため、区別（識別）され易くなり、逃走した場合においても追跡が容易となる。
【００２２】
なお、以下の実施形態においては、侵入者識別装置の構成要素が各々円形状を基本として形成されている場合について述べるが、一例であってこれに限らず、この他、例えば、一部または全ての構成要素が多角形状で形成されていても良いことは言うまでもない。
また、以下の説明において、侵入者識別装置を設置する任意の位置とは、前述のルートにおける任意の位置である。
【００２３】
具体的には、図１に示すように、本実施形態の侵入者識別装置１は、装置本体２と、一端側が開口された中空の柱状（換言すれば、茶筒の蓋のように他端が閉塞された円筒状）をなし、当該一端側から装置本体２に対して略鉛直方向に摺動可能に係合される蓋部３と、これら装置本体２および蓋部３との間に介在され、射出物である着色剤Ｃが封入された射出物封入部材としての風船４と、を備えて構成されている。なお、この図１においては、侵入者識別装置１の内部構造を優先して示すため、便宜上、風船４を断面のみで示し、封入された着色剤Ｃについては無色で示している。また、後述するベースプレート５は全体的にハッチングで示し、それ以外の装置本体２，蓋部３などの断面に関しては、敢えてハッチングを省いて示している。
【００２４】
この場合、装置本体２は、円形板状の底面部２ａの中央側に蓋部３が係合される円筒状の係合部２ｂが略垂直に立設されており、当該係合部２ｂの上方側内周面には、内方（中心）に向かって突出した凸部２ｃが設けられている。また、装置本体２は、係合部２ｂよりも更に中央側に、下方に配置されるベースプレート５の凸部５ａが嵌合される開口部２ｄが貫設されている。このとき、装置本体２とベースプレート５とは、適宜、ボルトＢなどによって締結されており、前述のような敷地境界内（不図示）における任意の位置の地中に配設される。
【００２５】
蓋部３は、他端側に装置本体２と対向して配置される上面部３ａを有している。この上面部３ａには、複数の貫通孔３ｂが穿設されており、当該上面部３ａの表面が地表と面一となるように前述の敷地境界内の地面に配置される。また、蓋部３は一端側の外周面に外方に向かって突出した凸部３ｃが設けられており、この凸部３ｃが装置本体２の係合部２ｂにおける凸部２ｃと係合するようになっている。
【００２６】
ここで、装置本体２の開口部２ｄと係合部２ｂとの間の底面部２ａには、円周に沿って複数の孔２ｅが設けられており、これら孔２ｅと蓋部３の凸部３ｃが設けられた一端側の端部３ｄとの間には、ドーナツ状のプレート７を介して各々弾性部６が設けられている。このプレート７は、幅が蓋部３の端部３ｄと同一の寸法で形成され、蓋部３と装置本体２との間の緩衝材として機能するようになっている。また、各弾性部６は、孔２ｅとプレート７との間に立設される軸６１と、当該軸６１の外周に配置されるスプリング６２とを有して構成され、装置本体２に対して蓋部３を押し上げる方向の付勢力を有している。そして、蓋部３の上面部３ａに対して弾性部６の付勢力に勝る荷重が加わると、スプリング６２が軸６１に沿って縮むことで、蓋部３の凸部３ｃが装置本体２の係合部２ｂの内周面に沿って底面部２ａまで略鉛直方向に摺動しながら押し下がる。なお、弾性部６の構造はこれに限らず、要は、蓋部３を装置本体２に対して摺動可能とする機構であれば、この他、種々の構造を広く適用できる。
【００２７】
このとき、装置本体２と蓋部３との間に介在された風船４は、蓋部３が荷重によって押し下がることで押圧され、押し潰され、破裂することで、封入された着色剤Ｃを貫通孔３ｂから噴出（噴射）させる。従って、この侵入者識別装置１では、侵入者によって踏み付けられることで上面部３ａに荷重が加えられると、風船４が押圧されることにより破裂し、封入された着色剤Ｃが貫通孔３ｂから噴射されるようになっている。
【００２８】
本実施形態の場合、図２に示すように、蓋部３の貫通孔３ｂにおける上面部３ａの裏面側（すなわち、上面部３ａの内面側）には、蓋部３の一端側に向かって突出した鋭利な形状（例えば、刃や針）からなる突起部３ｅが設けられていることが好ましい。これにより、侵入者によって踏み付けられることで上面部３ａに荷重が加えられると、突起部３ｅが下方に配置された風船４を強制的に破裂させることが可能となる。
【００２９】
なお、本装置の具体的な使用例については、後述の他の実施形態における図４によって説明するため、ここでは割愛するものとする。
【００３０】
以上、説明したように、本実施形態の侵入者識別装置１では、敷地境界内における任意の位置の地中に配設され、侵入者によって踏み付けられることで、表面が地表と面一となるように配置される蓋部３の上面部３ａに荷重が加えられると、装置本体２と蓋部３との間に介在される風船４が押圧される。これにより、封入された着色剤Ｃが上面部３ａの貫通孔３ｂから噴射され、侵入者に対し当該着色剤Ｃを噴き付けることができる。従って、電力によって駆動する電動式ではなく、侵入者自らの踏み付ける力を用いて動作させることができる。このため、供給電源や操作者（人員）、動作制御用の装置を不要とし、設置場所を適宜設定可能としつつ、不法な侵入者を的確に識別できると共に、その追跡の容易化を図ることができる。また、装置本体２と蓋部３と風船４とを用いた簡易な構成で実現できるため、設置も容易であり、コストパフォーマンス面でも優れている。
【００３１】
また、射出物封入部材として、射出物である着色剤Ｃを封入した風船４を適用することで、荷重が加えられることによって容易に破裂し、封入された着色剤Ｃなどの射出物が貫通孔３ｂから噴射されることが好ましい。
【００３２】
これによれば、射出物である着色剤Ｃを封入した射出物封入部材を風船４によって構成するため、侵入者の踏み付けによる荷重によって、当該風船４を容易に破裂させることができる上、装置内部の風船４を交換するだけで、簡単に再利用することが可能となる。よって、コストパフォーマンスに優れている。
【００３３】
このとき、貫通孔３ｂにおける上面部３ａの裏面側には、蓋部３の一端側に向かって突出した突起部３ｅが設けられることが好ましい。これにより、侵入者によって踏み付けられることで上面部３ａに荷重が加えられると、突起部３ｅが、風船４を強制的に破裂させることができる。つまり、突起部３ｅがない場合と比較して、風船４を破裂させるための破壊力を格段に向上させることができる。よって、例えば、侵入者が踏み付ける過程で本装置に気付いたとしても、僅かな荷重が掛かっただけで簡単に風船を破裂させることが可能となるため、ひとたび踏み付けた侵入者に対し、確実に着色剤を噴き付けることができる。
【００３４】
以上、本発明の侵入者識別装置に関する一実施形態を詳述してきたが、具体的な構成は前述の実施形態に限られるものではなく、この発明の要旨を逸脱することなく、変更、改良され得ると共に、本発明にはその等価物が含まれることは勿論である。
【００３５】
例えば、図１に対応して示す図３の侵入者識別装置１０のように、射出物封入部材として、射出物である着色剤（蛍光着色剤）を封入したスプレー４０を適用するようにしても良い。このとき、侵入者識別装置１０は、装置本体２０の下方にベースプレート５を介在することはなく、よって、装置本体２０における底面部２０ａの中央にも開口部は形成されていない。
【００３６】
この場合、侵入者識別装置１０は、ベースプレート５，弾性部６，プレート７を備えない点と、装置本体２０および蓋部３０における細部の形状が異なる点と、射出物封入部材である風船４に替えてスプレー４０を適用している点を除き、前述した侵入者識別装置１と、ほぼ同様の機構を用いて構成されている。
【００３７】
すなわち、侵入者識別装置１０では、装置本体２０の底面部２０ａの中央側に蓋部３０が係合される円筒状の係合部２０ｂが立設されているが、前述の装置本体２のような凸部２ｃは形成されていない。また、蓋部３０も同様に、開口側の端部に前述の蓋部３のような凸部３ｃは形成されていない。つまり、この侵入者識別装置１０の場合、蓋部３０は装置本体２０の係合部２０ｂに対して、外周を覆う状態で係合され、その内周面が係合部２０ｂの外周面に沿って摺動するようになっている。この場合、装置本体２０に対する蓋部３０の前述のような上方への付勢力は、スプレー４０によって確保されている。換言すれば、かかる侵入者識別装置１０の場合、前述の侵入者識別装置１の弾性部６に替ってスプレー４０の噴出機構が採用されており、通常状態ではスプレー４０が押圧されることなく、装置本体２０に対し、蓋部３０を上面部３０ａの表面が地表と面一となる状態に維持できる。また、荷重が加わる状態では、蓋部３０が装置本体２０側へと押圧されることでスプレー４０も押圧され、これによって着色剤Ｃを噴出するようになっている。
【００３８】
具体的に、スプレー４０は、装置本体２０の係合部２０ｂ内に複数（例えばこの場合、４本）設けられ、噴射口４１側を下方に向けた状態で配設されている。この噴射口４１には、側方へ向けて延在する延長部４２が接続されている。延長部４２は中空状に形成されており、一方の端部にスプレー４０の噴射口４１が垂直に接続され、他方の端部にスプレー４０と平行して上方の蓋部３０における上面部３０ａの貫通孔３０ｂと接続されるノズル４３が垂直に接続されている。このとき、蓋部３０の上面部３０ａには、スプレー４０の数（より詳細には、スプレー４０から着色剤Ｃを噴出するためのノズル４３の数）に対応した複数（例えばこの場合、４つ）の貫通孔３０ｂが設けられている。ノズル４３は、一方の端部が延長部４２に接続され、他方の端部が貫通孔３０ｂと接続されている。従って、スプレー４０の噴射口４１から噴出される着色剤Ｃは、延長部４２を通ってノズル４３に送られた後、ノズル４３を通って貫通孔３０ｂから外部へ噴射されるようになっている。
【００３９】
このように構成された侵入者識別装置１０では、図４に示すように、敷地境界内の地面における任意の位置の地中に埋設され、地表Ｇと蓋部３０における上面部３０ａの表面とが面一となるように設置される。そして、侵入者Ｘによって踏み付けられて矢印Ａ方向の荷重が加えられることで、蓋部３０が矢印Ａ´方向に摺動することにより、装置本体２０と蓋部３０との間に介在されたスプレー４０を矢印Ａ´方向（図３参照）に押圧する。これにより、スプレー４０の噴射口４１から噴出された着色剤Ｃが、延長部４２およびノズル４３を介して貫通孔３０ｂから外部へ噴出され、侵入者Ｘに対して噴射される。
【００４０】
従って、この侵入者識別装置１０においても前述の侵入者識別装置１と同様に、電力によって駆動する電動式ではなく、侵入者Ｘ自らの踏み付ける力を用いて動作させることができる。このため、供給電源や操作者（人員）、動作制御用の装置を不要とし、設置場所を適宜設定可能としつつ、不法な侵入者を的確に識別できると共に、その追跡の容易化を図ることができる。また、装置本体２０と蓋部３０とスプレー４０とを用いた簡易な構成で実現できるため、設置も容易であり、コストパフォーマンス面でも優れている。
【００４１】
なお、射出物封入部材としては、この他、例えば、図３との対応部分に同一符号を付して示す図５の侵入者識別装置１００のように、射出物封入部材としては、スプレー４０に替えて、射出物である着色剤Ｃを封入したガス充填ボンベ５０を適用しても良い。この場合、装置本体２０の底面部２０ａと蓋部３０との間には、シリコン等の伸縮性を有するシール材６０が介在されており、当該シール材６０は、蓋部３０が荷重によって矢印Ａ´方向に摺動することに伴い、矢印ａ方向に伸縮するようになっている。
【００４２】
また、侵入者識別装置１００の場合、蓋部３０の上面部３０ａに、例えば十字状に形成された延長部３１が設けられており、この延長部３１上に多数の貫通孔３０ｂが設けられている。そして、ガス充填ボンベ５０のノズル（不図示）から噴出される着色剤Ｃは、延長部３１に送られた後、各貫通孔３０ｂから噴出され、侵入者に対して噴射されるようになっている。
【００４３】
従って、この侵入者識別装置１００でも、前述の侵入者識別装置１０，１００と同様に、蓋部３０が侵入者によって踏み付けられることで荷重が加えられると、蓋部３０が矢印Ａ´方向に摺動することにより、装置本体２０と蓋部３０との間に介在されたガス充填ボンベ５０を押圧する。これにより、ガス充填ボンベ５０から噴出された着色剤Ｃが、延長部３１介して貫通孔３０ｂから外部へ噴出され、侵入者に対して噴射されるようになっている。よって、電力によって駆動する電動式ではなく、侵入者自らの踏み付ける力を用いて動作させることができるため、供給電源や操作者（人員）、動作制御用の装置を不要とし、設置場所を適宜設定可能としつつ、不法な侵入者を的確に識別できると共に、その追跡の容易化を図ることができる。また、装置本体２０と蓋部３０とガス充填ボンベ５０とを用いた簡易な構成で実現できるため、設置も容易であり、コストパフォーマンス面でも優れている。
【００４４】
しかも、射出物である着色剤Ｃを封入した射出物封入部材をスプレー４０またはガス充填ボンベ５０によって構成するため、侵入者の踏み付けによる荷重によって、当該スプレー４０またはガス充填ボンベ５０を容易に押圧することができる上、装置内部のスプレー４０またはガス充填ボンベ５０を交換するだけで、簡単に再利用することが可能となる。
【符号の説明】
【００４５】
１，１０，１００  侵入者識別装置
２，２０  装置本体
２ａ，２０ａ  底面部
２ｂ，２０ｂ  係合部
２ｃ  凸部
３，３０  蓋部
３ｂ，３０ｂ  貫通孔
３ｃ  凸部
３ｅ  突起部
４  風船（射出物封入部材）
４０  スプレー（射出物封入部材）
５０  ガス充填ボンベ（射出物封入部材）
５  ベースプレート
６  弾性部
６１  軸
６２  スプリング
７  プレート
Ｃ  着色剤（射出物）
Ｇ  地表
Ｘ  侵入者
【図１】
0006596917.tif 000002
【図２】
0006596917.tif 000003
【図３】
0006596917.tif 000004
【図４】
0006596917.tif 000005
【図５】
0006596917.tif 000006